(57)【要約】【課題】本発明は、コンピュータ分野に関し、地理位置に基づくインタラクション方法、ユーザ端末、サーバ及びシステム及びコンピュータ記憶媒体を提供する。【解決手段】インタラクション方法は、取得されたユーザの現在位置の地理座標を位置サーバに送信し、位置サーバから返信されたＰＯＩリストを受信して表示し、グループ確立指令を取得して、グループ確立指令に従ってグループ確立要求をロジックサーバへ送信し、ロジックサーバで確立されたグループに基づきロジックサーバとのインタラクションを行い、グループ内におけるインタラクションサービスをユーザに提供することを含み、ＰＯＩリストには、地理座標に対応する少なくとも１つのＰＯＩが含まれ、当該グループは、ロジックサーバがグループ確立要求に付けられたＰＯＩに基づいて確立される。本発明は、地理座標に対応するＰＯＩに基づいてグループを確立し、グループに基づきインタラクションサービスをユーザに提供することによって、地理位置に基づくサービスのインタラクション方式および範囲を広げ、ユーザ間での情報の共有をより良く実現できる。
2015506001.tif 000002
【特許請求の範囲】
【請求項１】
地理位置に基づくインタラクション方法であって、
取得されたユーザの現在位置の地理座標を位置サーバに送信し、前記位置サーバから返信された実際の地理情報の興味ポイントリストを受信して表示し、
ロジックサーバにより確立されたグループに基づき前記ロジックサーバとのインタラクションを行い、グループ内におけるインタラクションサービスをユーザに提供する、ことを含み、
前記興味ポイントリストには、前記地理座標に対応する少なくとも１つの興味ポイントが含まれ、前記グループは、前記ロジックサーバがグループ確立要求に付けられた興味ポイントに基づいて確立される、
ことを特徴とするインタラクション方法。
【請求項２】
前記ロジックサーバにより確立されたグループに基づき前記ロジックサーバとのインタラクションを行う前に、
グループ確立指令を取得して、前記グループ確立指令に従って前記グループ確立要求をロジックサーバに送信することをさらに含み、
前記グループ確立指令および前記グループ確立要求には、いずれも、ユーザが前記興味ポイントリストに基づいて選択した興味ポイントが付けられる、
ことを特徴とする請求項１に記載のインタラクション方法。
【請求項３】
前記グループ確立指令を取得して、前記グループ確立指令に従ってグループ確立要求をロジックサーバに送信することは、
ユーザが前記興味ポイントリストに基づいて選択した興味ポイントが付けられたグループ確立指令を受信し、
前記グループ確立指令における興味ポイントに基づいて、グループ確立要求を生成してロジックサーバに送信することを含む、
ことを特徴とする請求項２に記載のインタラクション方法。
【請求項４】
前記ロジックサーバにより確立されたグループに基づき前記ロジックサーバとのインタラクションを行うことは、  
グループ内のインタラクション指令を取得し、前記グループ内のインタラクション指令に従ってグループ内インタラクション要求を前記ロジックサーバに送信して、前記ロジックサーバが前記グループ内のインタラクション要求に従って返信した応答を受信し、グループ内におけるインタラクションサービスをユーザに提供する、ことを含み、
前記グループ内のインタラクションには、少なくとも、グループ内のほかのユーザの位置を検索すること、ほかのユーザに対してグループへの加入を誘うこと、ほかのユーザからのグループへの加入の要求を受信して当該ユーザのグループへの加入を許可すること、グループ内の会話を始めること、および、グループ内のユーザが共同に興味ポイントへの到着の届け出を完成させることを許可することのうちの少なくとも１つの情報が、含まれる、
ことを特徴とする請求項１に記載のインタラクション方法。
【請求項５】
取得されたユーザの現在位置の地理座標を位置サーバに送信するための送信モジュールと、
前記位置サーバから返信された実際の地理情報の興味ポイントリストを受信して表示するための表示モジュールと、
ロジックサーバにより確立されたグループに基づき前記ロジックサーバとのインタラクションを行い、グループ内のインタラクションサービスをユーザに提供するためのインタラクションモジュールと、を含み、
前記興味ポイントリストには、前記地理座標に対応する少なくとも１つの興味ポイントが含まれ、前記グループは、前記ロジックサーバがグループ確立要求に付けられた興味ポイントに基づいて確立される、
ことを特徴とするユーザ端末。
【請求項６】
前記ユーザ端末は、
グループ確立指令を取得して、前記グループ確立指令に従ってグループ確立要求を前記ロジックサーバに送信するための要求モジュール、をさらに含み、
前記グループ確立指令およびグループ確立要求には、いずれも、ユーザが前記興味ポイントリストに基づいて選択した興味ポイントが付けられる、
ことを特徴とする請求項５に記載のユーザ端末。
【請求項７】
前記要求モジュールは、ユーザが興味ポイントリストに基づいて選択した興味ポイントが付けられるグループ確立指令を受信し、前記グループ確立指令における興味ポイントに基づいて、グループ確立要求を生成してロジックサーバに送信する、
ことを特徴とする請求項５に記載のユーザ端末。
【請求項８】
前記インタラクションモジュールは、グループ内のインタラクション指令を取得し、前記グループ内のインタラクション指令に従ってグループ内のインタラクション要求を前記ロジックサーバに送信して、前記ロジックサーバが前記グループ内のインタラクション要求に従って返信した応答を受信し、グループ内におけるインタラクションサービスをユーザに提供し、
前記グループ内のインタラクションには、少なくとも、グループ内のほかのユーザの位置を検索すること、ほかのユーザに対してグループへの加入を誘うこと、ほかのユーザからのグループへの加入の要求を受信して当該ユーザのグループへの加入を許可すること、グループ内の会話を始めること、および、グループ内のユーザが共同に興味ポイントへの到着の届け出を完成させることを許可することのうちの少なくとも１つの情報が、含まれる、
ことを特徴とする請求項５に記載のユーザ端末。
【請求項９】
地理位置に基づくインタラクション方法であって、
ユーザ端末から送信されたユーザの現在位置の地理座標を受信し、前記地理座標に対応する実際の地点情報の興味ポイントを検索し、
検索して得られた興味ポイントリストを前記ユーザ端末に返信し、前記ユーザ端末により前記興味ポイントリストに基づいてユーザのためにグループが確立されて、グループ内におけるインタラクションサービスをユーザに提供する、ことを含み、
前記興味ポイントリストには、検索して得られた少なくとも１つの興味ポイントが含まれる、
ことを特徴とするインタラクション方法。
【請求項１０】
前記地理座標の実際の地点情報の興味ポイントを検索する前に、  
地理座標と興味ポイントとの対応関係を記憶する位置データベースを予め確立することをさらに含み、
前記地理座標に対応する実際の地点情報の興味ポイントを検索することは、  
受信された地理座標に基づいて、前記位置データベースから前記地理座標に対応する興味ポイントを検索する、ことを含む、
ことを特徴とする請求項９に記載のインタラクション方法。
【請求項１１】
ユーザ端末から送信されたユーザの現在位置の地理座標を受信するための受信モジュールと、
前記受信モジュールで受信された地理座標に対応する実際の地点情報の興味ポイントを検索するための検索モジュールと、
前記検索モジュールで検索して得られた興味ポイントリストを前記ユーザ端末に返信し、前記ユーザ端末により前記興味ポイントリストに基づいてユーザのためにグループが確立されて、グループ内のインタラクションサービスをユーザに提供するための返信モジュールとを含み、
前記興味ポイントリストには、検索して得られた少なくとも１つの興味ポイントが含まれる、
ことを特徴とする位置サーバ。
【請求項１２】
地理座標と興味ポイントとの対応関係を記憶する位置データベースを予め確立する確立モジュール、をさらに含み、
前記検索モジュールは、前記受信モジュールで受信された地理座標に基づいて、前記確立モジュールで確立された位置データベースから前記地理座標に対応する興味ポイントを検索する、
ことを特徴とする請求項１１に記載の位置サーバ。
【請求項１３】
地理位置に基づくインタラクション方法であって、
ユーザ端末から送信された、実際の地点情報の興味ポイントが付けられた、グループ確立要求を受信し、
受信された前記要求に付けられた興味ポイントに基づいてグループを確立して、確立されたグループに基づき前記ユーザ端末とのインタラクションを行い、グループ内におけるインタラクションサービスをユーザに提供する、ことを含み、
前記興味ポイントは、ユーザの現在位置の地理座標に対応する、
ことを特徴とするインタラクション方法。
【請求項１４】
前記確立されたグループに基づき前記ユーザ端末とのインタラクションを行うことは、
前記ユーザ端末から送信されたグループ内のインタラクション要求を受信して、前記グループ内のインタラクション要求に従って応答を前記ユーザ端末に返信し、グループ内におけるインタラクションサービスをユーザに提供する、ことを含み、
前記グループ内におけるインタラクションサービスには、少なくとも、グループ内のほかのユーザの位置を検索すること、ほかのユーザに対してグループへの加入を誘うこと、ほかのユーザからのグループへの加入の要求を受信して当該ユーザのグループへの加入を許可すること、グループ内の会話を始めること、および、グループ内のユーザが共同に興味ポイントへの到着の届け出を完成させることを許可することのうちの少なくとも１つの情報が、含まれる、
ことを特徴とする請求項１３に記載のインタラクション方法。
【請求項１５】
前記ユーザ端末から送信された、実際の地点情報の興味ポイントが付けられたグループ確立要求を受信するための受信モジュールと、
前記受信モジュールで受信された要求に付けられた興味ポイントに基づいて、グループを確立するための確立モジュールと、
前記確立モジュールで確立されたグループに基づき前記ユーザ端末とのインタラクションを行い、グループ内におけるインタラクションサービスをユーザに提供するためのインタラクションモジュールと、を含み、
前記興味ポイントは、ユーザの現在位置の地理座標に対応する、
ことを特徴とするロジックサーバ。
【請求項１６】
前記インタラクションモジュールは、前記ユーザ端末から送信されたグループ内のインタラクション要求を受信して、前記グループ内のインタラクション要求に従って応答を前記ユーザ端末に返信し、グループ内におけるインタラクションサービスをユーザに提供し、前記グループ内におけるインタラクションサービスには、少なくとも、グループ内のほかのユーザの位置を検索すること、周りのほかのユーザに対してグループへの加入を誘うこと、ほかのユーザからのグループへの加入の要求を受信して当該ユーザのグループへの加入を許可すること、グループ内の会話を始めること、および、グループ内のユーザが共同に興味ポイントへの到着の届け出を完成させることを許可することのうちの少なくとも１つの情報が、含まれる、
ことを特徴とする請求項１５に記載のロジックサーバ。
【請求項１７】
地理位置に基づくインタラクションシステムであって、
請求項５〜８のいずれか１項に記載のユーザ端末、および／または、
請求項１１または１２に記載の位置サーバ、および／または、
請求項１５または１６に記載のロジックサーバ、を含む、
ことを特徴とするインタラクションシステム。
【請求項１８】
請求項１〜４、請求項９〜１０、請求項１３〜１４のいずれか１項に記載の方法を実行するためのコンピュータ実行可能な指令が記憶される
ことを特徴とするコンピュータ記憶媒体。
【発明の詳細な説明】
【技術分野】
【０００１】
本発明は、コンピュータ分野に関し、特に、地理位置に基づくインタラクション方法、ユーザ端末、サーバおよびシステム、コンピュータ記憶媒体に関する。
【背景技術】
【０００２】
近年、コンピュータ、ネットワーク通信およびモバイル機器分野の絶えない発展につれて、地理位置に基づくサービス（ＬＢＳ：Ｌｏｃａｔｉｏｎ  ｂａｓｅｄ  ｓｅｒｖｉｃｅ）は、ナビゲーション、ソーシャルコミュニケーション、エンターテインメントなどの分野で広く応用され、特に、ＬＢＳのインタラクションサービスによって、ユーザのために、便利で速いソーシャルコミュニケーションおよびエンターテインメントを提供する。
【０００３】
従来のＬＢＳのインタラクションは、主に、現実の地点を考えた応用サービスである。例えば、ユーザは、自身の現実の位置を測位して、現実の位置の周りに存在する実際の地点情報、即ち、興味ポイント（ＰＯＩ：Ｐｏiｎｔ  ｏｆ  Ｉｎｔｅｒｅｓｔ）へアクセスし、ユーザは、ＰＯＩにユーザ状態を配信して、周りのほかのユーザと共有することもできる。
【０００４】
従来のＬＢＳのインタラクションの応用には、少なくとも、以下の問題が存在している。
【０００５】
ユーザは、ＰＯＩのみとのインタラクションを行い、かつ、ＰＯＩにユーザ状態を配信して共有することのみによって、周りのほかのユーザとのインタラクションを行うため、インタラクション方式が単一になってしまい、インタラクションによってより多くの情報をユーザ間で共有することができない。
【発明の概要】
【発明が解決しようとする課題】
【０００６】
地理位置に基づくサービスの応用方式および範囲を広げ、より便利なインタラクション操作を提供するために、本発明は、地理位置に基づくインタラクション方法、ユーザ端末、サーバおよびシステム、コンピュータ記憶媒体を提供する。
【課題を解決するための手段】
【０００７】
本発明の解決手段は、下記の通りである。
【０００８】
本発明の一実施例によれば、
取得されたユーザの現在位置の地理座標を位置サーバに送信し、前記位置サーバから返信された実際の地理情報のＰＯＩリストを受信して表示し、
ロジックサーバにより確立されたグループに基づき前記ロジックサーバとのインタラクションを行うことで、グループ内におけるインタラクションサービスをユーザに提供する、ことを含み、
前記ＰＯＩリストには、前記地理座標に対応する少なくとも１つのＰＯＩが含まれ、前記グループは、前記ロジックサーバにより前記グループ確立要求に付けられたＰＯＩに基づいて確立される地理位置に基づくインタラクション方法が提供される。
【０００９】
本発明の一実施例によれば、
取得されたユーザの現在位置の地理座標を位置サーバに送信するための送信モジュールと、  
前記位置サーバから返信された実際の地理情報のＰＯＩリストを受信して表示するための表示モジュールと、
ロジックサーバにより確立されたグループに基づき前記ロジックサーバとのインタラクションを行うことで、グループ内におけるインタラクションサービスをユーザに提供するためのインタラクションモジュールと、を含み、
前記ＰＯＩリストには、前記地理座標に対応する少なくとも１つのＰＯＩが含まれ、前記グループは、前記ロジックサーバにより前記グループ確立要求に付けられたＰＯＩに基づいて確立されるユーザ端末が提供される。
【００１０】
本発明の一実施例によれば、ユーザ端末から送信されたユーザの現在位置の地理座標を受信し、前記地理座標に対応する実際の地点情報ＰＯＩを検索し、
検索して得られたＰＯＩリストを前記ユーザ端末へ返信し、前記ユーザ端末により前記ＰＯＩリストに基づいてユーザのためにグループが確立されて、グループ内におけるインタラクションサービスをユーザに提供する、ことを含み、
前記ＰＯＩリストには、検索して得られた少なくとも１つのＰＯＩが含まれる地理位置に基づくインタラクション方法が提供される。
【００１１】
本発明の一実施例によれば、ユーザ端末から送信されたユーザの現在位置の地理座標を受信するための受信モジュールと、
前記受信モジュールで受信された地理座標に対応する実際の地点情報ＰＯＩを検索するための検索モジュールと、
前記検索モジュールで検索して得られたＰＯＩリストを前記ユーザ端末へ返信し、前記ユーザ端末により前記ＰＯＩリストに基づいてユーザのためにグループが確立されて、グループ内におけるインタラクションサービスをユーザに提供するための返信モジュールとを含み、
前記ＰＯＩリストには、検索して得られた少なくとも１つのＰＯＩが含まれる位置サーバが提供される。
【００１２】
本発明の一実施例によれば、
ユーザ端末から送信された、ユーザ現在位置の地理座標に対応する実際の地点情報ＰＯＩが付けられたグループ確立要求を受信し、
受信された前記要求に付けられたＰＯＩに基づいてグループを確立し、確立されたグループに基づき前記ユーザ端末とのインタラクションを行うことで、グループ内におけるインタラクションサービスをユーザに提供する、ことを含む
地理位置に基づくインタラクション方法が提供される。
【００１３】
本発明の一実施例によれば、前記ユーザ端末から送信された、ユーザ現在位置の地理座標に対応する実際の地点情報ＰＯＩが付けられたグループ確立要求を受信するための受信モジュールと、
前記受信モジュールで受信された要求に付けられたＰＯＩに基づいて、グループを確立するための確立モジュールと、
前記確立モジュールで確立されたグループに基づき前記ユーザ端末とのインタラクションを行うことで、グループ内におけるインタラクションサービスをユーザに提供するためのインタラクションモジュールと、を含むロジックサーバも提供される。
【００１４】
本発明の一側面に基づき、本発明の一実施例によれば、上記のようなユーザ端末、および／または、上記のような位置サーバ、および／または、上記のようなロジックサーバを含む、地理位置に基づくインタラクションシステムが提供される。
【００１５】
本発明の一側面に基づき、本発明の一実施例によれば、上記の地理位置に基づくインタラクション方法を実行するためのコンピュータプログラムが記憶されるコンピュータ記憶媒体が提供される。
【発明の効果】
【００１６】
本発明の実施例による解決手段による有益な効果は、  
ユーザの現在位置の地理座標に対応するＰＯＩを検索して、ＰＯＩから確立されたグループに基づき、インタラクションサービスをグループ内におけるユーザに提供することによって、ユーザがグループを通じてほかのユーザとのインタラクションを行うことができ、地理位置に基づくサービスのインタラクション方式および範囲を広げ、このようなインタラクション方式でより多くの情報をユーザ間で共有することができ、ネットワーク環境において情報の共有をより良く実現することができる、ことにある。
【図面の簡単な説明】
【００１７】
【図１】本発明の実施例一による地理位置に基づくインタラクション方法のフローチャートの第１の図である。
【図２】本発明の実施例一による地理位置に基づくインタラクション方法のフローチャートの第２の図である。
【図３】本発明の実施例一による地理位置に基づくインタラクション方法のフローチャートの第３の図である。
【図４】本発明の実施例二による地理位置に基づくインタラクション方法のフローチャートである。
【図５】本発明の実施例三によるユーザ端末の構成を示す図である。
【図６】本発明の実施例四による位置サーバの構成を示す第１の図である。
【図７】本発明の実施例四による位置サーバの構成を示す第２の図である。
【図８】本発明の実施例五によるロジックサーバの構成を示す図である。
【図９】本発明の実施例六による地理位置に基づくインタラクションシステムの構成を示す図である。
【発明を実施するための形態】
【００１８】
本発明の実施例の目的、解決手段およびメリットをさらに明確にするために、以下、図面を参照しながら本発明の実施形態に対してさらに詳しく説明する。
【実施例１】
【００１９】
本実施例では、地理位置に基づくインタラクション方法が提供される。図１を参照からわかるように、本実施例の方法の実行主体は、ユーザ端末であってよい。本実施例で提供される方法は、具体的に下記のステップを含む。
【００２０】
ステップ１０１で、取得されたユーザの現在位置の地理座標を位置サーバに送信する。
【００２１】
ステップ１０２で、位置サーバから返信された、地理座標に対応する少なくとも１つのＰＯＩが含まれるＰＯＩリストを受信して表示する。
【００２２】
ステップ１０３で、グループ確立指令を取得して、グループ確立指令に従ってグループ確立要求をロジックサーバに送信し、当該グループ確立指令およびグループ確立要求には、いずれも、ユーザがＰＯＩリストに基づいて選択したＰＯＩが付けられる。
【００２３】
グループ確立指令を取得して、グループ確立指令に従ってグループ確立要求をロジックサーバに送信することは、  
ユーザがＰＯＩリストに基づいて選択したＰＯＩが付けられたグループ確立指令を受信し、
グループ確立指令に付けられたＰＯＩに基づいてグループ確立要求を生成してロジックサーバに送信することを含む。
【００２４】
ステップ１０４で、ロジックサーバにより確立されたグループに基づきロジックサーバとのインタラクションを行うことで、グループ内におけるインタラクションサービスをユーザに提供し、当該グループは、ロジックサーバによりグループ確立要求に付けられたＰＯＩに基づいて確立される。
【００２５】
具体的に、ロジックサーバにより確立されたグループに基づきロジックサーバとのインタラクションを行うことは、
グループ内のインタラクション指令を取得し、グループ内のインタラクション指令に従ってグループ内のインタラクション要求をロジックサーバへ送信して、ロジックサーバによりグループ内のインタラクション要求に従って返信された応答を受信することで、グループ内におけるインタラクションサービスをユーザに提供することを含み、
グループ内のインタラクションには、少なくとも、グループ内のほかのユーザの位置を検索すること、ほかのユーザに対してグループへの加入を誘うこと、ほかのユーザからのグループへの加入の要求を受信して当該ユーザのグループへの加入を許可すること、グループ内の会話を始めること、および、グループ内のユーザが共同にＰＯＩへの到着の届け出を完成させることを許可することのうちの１つが、含まれる。
【００２６】
図２からわかるように、本実施例の方法の実行主体は、位置サーバであってよい。本実施例で提供される方法は、具体的に下記のステップを含む。
【００２７】
ステップ２０１で、ユーザ端末から送信されたユーザの現在位置の地理座標を受信し、地理座標に対応するＰＯＩを検索する。
【００２８】
地理座標の実際の地点情報ＰＯＩを検索する前に、
地理座標とＰＯＩとの対応関係を記憶するための位置データベースを予め確立することを、さらに含む。
【００２９】
地理座標に対応する実際の地点情報ＰＯＩを検索することは、  
受信された地理座標に基づいて、位置データベースから地理座標に対応するＰＯＩを検索することを含む。
【００３０】
ステップ２０２で、検索して得られたＰＯＩリストをユーザ端末へ返信し、ユーザ端末によりＰＯＩリストに基づいてユーザのためにグループが確立されて、グループ内におけるインタラクションサービスをユーザに提供する。
【００３１】
ＰＯＩリストには、検索して得られた少なくとも１つのＰＯＩが含まれる。
【００３２】
図３からわかるように、本実施例の方法の実行主体は、ロジックサーバであってよい。本実施例で提供される方法は、具体的に下記のステップを含む。
【００３３】
ステップ３０１で、ユーザ端末から送信された、ユーザの現在位置の地理座標に対応するＰＯＩが付けられたグループ確立要求を受信する。
【００３４】
ステップ３０２で、受信された要求に付けられたＰＯＩに基づいてグループを確立して、確立されたグループに基づきユーザ端末とのインタラクションを行うことで、グループ内におけるインタラクションサービスをユーザに提供する。
【００３５】
確立されたグループに基づきユーザ端末とのインタラクションを行うことは、  
ユーザ端末から送信されたグループ内のインタラクション要求を受信して、グループ内のインタラクション要求に従って応答をユーザ端末へ返信することで、グループ内におけるインタラクションサービスをユーザに提供することをさらに含み、
グループ内におけるインタラクションサービスには、少なくとも、グループ内のほかのユーザの位置を検索すること、ほかのユーザに対してグループへの加入を誘うこと、ほかのユーザからのグループへの加入の要求を受信して当該ユーザのグループへの加入を許すこと、グループ内の会話を始めること、および、グループ内のユーザが共同にＰＯＩへの到着の届け出を完成させることを許可することのうちの１つが、含まれる。
【００３６】
本実施例で提供される地理位置に基づくサービスによって、ゲーム、ソーシャルコミュニケーションなど異なる分野において、ユーザのためにグループ内のインタラクションに基づくサービスを提供することができる。
【００３７】
本発明の実施例で提供される方法は、ユーザの現在位置の地理座標に対応するＰＯＩを検索し、ユーザが選択したＰＯＩに従ってグループを確立して、グループに基づくインタラクションサービスをグループ内のユーザに提供することによって、ユーザがグループを通じてほかのユーザとのインタラクションを行うことができ、地理位置に基づくサービスの応用方式および範囲を広げ、より便利なインタラクション操作をユーザに提供する目的を達成することができる。
【実施例２】
【００３８】
本実施例では、地理位置に基づくインタラクション方法が提供される。図４からわかるように、ＬＢＳゲームに基づき、ユーザのためにグループを確立してグループ内におけるインタラクションを行うサービスを提供することを例として、本実施例で提供される方法は、具体的に下記のステップを含む。
【００３９】
ステップ４０１で、ゲームのユーザ端末は、ユーザの現在位置の地理座標を取得する。
【００４０】
具体的に、ゲームのユーザ端末は、無線電気通信事業者の無線電気通信ネットワークまたは外部測位によって、モバイル端末のユーザの現在位置の地理座標を取得することができる。実際の応用において、ゲームのユーザ端末は、無線電気通信事業者の無線電気通信ネットワークまたは外部測位システムに、現在の地理座標を読み取る要求を送信し、無線電気通信ネットワークまたは外部測位システムは、要求に応じて地理座標をゲームのユーザ端末に送信することができる。
【００４１】
無線電気通信ネットワークには、モバイル通信のグローバルシステム（ＧＳＭ：Ｇｌｏｂａｌ  ｓｙｓｔｅｍ  ｆｏｒ  ｍｏｂｉｌｅ  ｃｏｍｍｕｎｉｃａｔｉｏｎｓ）ネットワーク、符号分割多重接続（ＣＤＭＡ：Ｃｏｄｅ  Ｄｉｖｉｓｉｏｎ  Ｍｕｌｔｉｐｌｅ  Ａｃｃｅｓｓ）ネットワーク、３Ｇなどが含まれる。外部測位方式には、全地球測位システム（ＧＰＳ：Ｇｌｏｂａｌ  Ｐｏｓｉｔｉｏｎｉｎｇ  Ｓｙｓｔｅｍ）などが含まれる。ユーザの現在位置の地理座標を取得する上記の方式を採用する以外に、ほかの方式を採用することもできる。本発明の実施例において、ゲームのユーザ端末がユーザの現在位置の地理座標を取得する方式に対して具体的に限定しない。
【００４２】
ステップ４０２で、ゲームのユーザ端末は、取得された地理座標を位置サーバに送信し、位置サーバから返信されたＰＯＩリストを受信して表示する。
【００４３】
本実施例において、ゲームユーザ端末が取得された地理座標を位置サーバに送信する方式に対して限定しない。実際に実現する際に、当該ユーザの端末は、位置サーバに、ユーザの現在位置に対応するＰＯＩを検索する、取得された地理座標が付けられる要求を送信することができる。これによって、地理座標を位置サーバに送信し、位置サーバが地理座標に対応するＰＯＩを検索する。また、位置サーバから返信されたＰＯＩリストには、位置サーバが地理座標に対応するＰＯＩを検索した後得られた少なくとも１つのＰＯＩが含まれる。同様に、本実施例において、位置サーバがＰＯＩを検索する具体的な方式に対して具体的に限定しない。実際に実現する際に、位置サーバにおいて、地理座標とＰＯＩとの対応関係を記憶する位置データベースを予め確立することができる。従って、位置サーバは、地理座標を受信した後、当該地理座標に基づいて位置データベースから地理座標に対応するＰＯＩを検索し得ることができる。
【００４４】
本実施例において、ゲームのユーザ端末はＰＯＩリストをユーザに表示する方式に対して具体的に限定しない。
【００４５】
ステップ４０３で、ゲームのユーザ端末は、グループ確立指令を取得して、グループ確立指令に従ってグループ確立要求をロジックサーバに送信し、当該グループ確立指令およびグループ確立要求には、いずれも、ユーザがＰＯＩリストに基づいて選択したＰＯＩが付けられる。
【００４６】
具体的に、ユーザは、ゲームのユーザ端末に表示されるＰＯＩリストからＰＯＩを選択して、ＰＯＩが付けられたグループ確立指令の送信をトリガーすることによって、ゲームユーザ端末が、ＰＯＩが付けられたグループ確立指令を受信した後、当該グループ確立指令に付けられたＰＯＩに基づいて、グループ確立要求を生成してロジックサーバに送信することができる。
【００４７】
また、複数の方式によって、ゲームのユーザ端末がＰＯＩが付けられたグループ確立指令を受信してよい。例えば、ユーザは、タッチ操作によってＰＯＩを選定して、ＰＯＩが付けられたグループ確立指令をゲームのユーザ端末へ送信することをトリガーすることができる。それ以外に、応用メニューを呼び出すことによって、ユーザがグループ確立ためのオプションを選択することでグループ確立指令をゲームのユーザ端末へ送信することをトリガーすることもできる。本実施例において、ゲームのユーザ端末はＰＯＩが付けられたグループ確立指令を受信する方式に対して具体的に限定しない。
【００４８】
ステップ４０４で、ロジックサーバは、ゲームのユーザ端末から送信されたグループ確立要求に付けられたＰＯＩに基づいてグループを確立する。
【００４９】
ロジックサーバは、ゲームのユーザ端末から送信されたグループ確立要求を受信した後、要求に付けられたＰＯＩの情報を抽出して、要求から抽出したＰＯＩに基づいてグループを確立する。
【００５０】
グループ確立要求に付けられたＰＯＩは、ユーザによりＰＯＩリストに基づいて選択されたＰＯＩであり、また、地理座標に対応するため、ロジックサーバはグループ確立要求に付けられたＰＯＩに基づいてグループを確立することは、地理位置に基づきグループを確立するとも言える。また、ゲームのユーザ端末から送信されたグループ確立要求には、１つのＰＯＩの関連情報のみが含まれてよく、複数のＰＯＩの関連情報が含まれてもよい。それに応じて、確立されたグループには、１つのＰＯＩに対応する地理位置が含まれてよく、複数のＰＯＩに対応する地理位置が含まれてもよい。本実施例において、グループ確立要求に付けられたＰＯＩの数に対して限定しない。
【００５１】
ステップ４０５で、ゲームのユーザ端末は、グループ内のインタラクション指令を取得し、当該グループ内のインタラクション指令に従ってグループ内のインタラクション要求をロジックサーバへ送信する。
【００５２】
当該ステップについて、上記のステップ４０４においてロジックサーバによってグループが確立された後、ロジックサーバは、確立されたグループの関連情報をゲームユーザ端末に返信し、ゲームユーザ端末で確立されたグループをユーザに表示することができる。従って、ユーザは、確立されたグループに基づき、グループ内のインタラクション指令をゲームのユーザ端末へ送信することをトリガーことによって、ゲームのユーザ端末がグループ内のインタラクション指令を受信した後、グループ内のインタラクション指令に従ってグループ内のインタラクション要求をロジックサーバへ送信することができる。
【００５３】
ロジックサーバがユーザに提供するグループのインタラクションサービスには複数の種類がある。例えば、ユーザ指令に従ってグループ内のほかのユーザの位置を検索すること、ユーザ指令に従ってほかのユーザに対してグループへの加入を誘うこと、ほかのユーザからのグループへの加入の要求を受信して当該ユーザのグループへの加入を許可すること、ユーザの要求に従ってグループ内の会話を始めること、グループ内のユーザが共同にＰＯＩへの到着の届け出を完成させることを許可することなどがある。本発明の実施例において、ロジックサーバがユーザに提供するインタラクションサービスの種類および方式に対して具体的に限定せず、同様に、ユーザから送信されたグループ内のインタラクション指令に対応するインタラクションサービスに対して具体的に限定しない。ユーザは、具体的なインタラクションサービスを選択した後、ゲームのユーザ端末は対応するグループ内のインタラクション要求をロジックサーバへ送信すればよい。
【００５４】
ステップ４０６で、ゲームのユーザ端末は、ロジックサーバがグループ内のインタラクション要求に従って返信した応答を受信することで、グループ内におけるインタラクションサービスをユーザに提供する。
【００５５】
具体的に、ロジックサーバは、ゲームのユーザ端末から送信されたグループ内のインタラクション要求を受信した後、当該要求に従って対応する応答を返信することができる。これにより、対応の応答がゲームのユーザ端末に返信された後、ユーザのためにグループ内におけるインタラクションサービスを提供する。
【００５６】
本発明の実施例の方法は、ゲームの分野に用いることができる以外に、例えばソーシャルコミュニケーションや公共サービスなどの分野に用いることもできる。これによって、ユーザのために、友達作りや検索などのサービスを提供する。本実施例においては、具体的な応用シナリオに対して限定しない。
【００５７】
本実施例で提供される方法は、ユーザの現在位置の地理座標を定め、当該座標に対応するＰＯＩを検索し、ユーザが選択して加入するグループのＰＯＩに従ってグループを確立して、グループに基づくインタラクションサービスをグループ内のユーザに提供することによって、ユーザがグループを通じてほかのユーザとのインタラクションを行うことができる。これによって、地理位置に基づくサービスの応用方式および範囲を広げ、より便利なインタラクション操作をユーザに提供する目的を達成する。
【実施例３】
【００５８】
本実施例では、ユーザ端末が提供される。図５からわかるように、当該ユーザ端末は、具体的に、
取得されたユーザの現在位置の地理座標を位置サーバに送信するための送信モジュール５０１と、
位置サーバから返信された、地理座標に対応する少なくとも１つのＰＯＩが含まれるＰＯＩリストを受信して表示するための表示モジュール５０２と、
グループ確立指令を取得して、グループ確立指令に従ってグループ確立要求をロジックサーバに送信し、当該グループ確立指令およびグループ確立要求には、いずれも、ユーザがＰＯＩリストに基づいて選択したＰＯＩが付けられる要求モジュール５０３と、
ロジックサーバにより確立されたグループに基づき、ロジックサーバとのインタラクションを行うことで、グループ内におけるインタラクションサービスをユーザに提供し、当該グループは、ロジックサーバによりグループ確立要求に付けられたＰＯＩに基づいて確立されるインタラクションモジュール５０４と、を含み、
送信モジュール５０１は取得されたユーザの現在位置の地理座標を位置サーバに送信する方式について、上記の実施例２におけるステップ４０１とステップ４０２の関連説明を詳しく参照できるため、ここで説明を省略する。表示モジュール５０２は位置サーバから返信されたＰＯＩリストを受信して表示する方式について、上記の実施例２におけるステップ４０２の関連説明を詳しく参照できるため、ここで説明を省略する。
【００５９】
要求モジュール５０３は、具体的に、ユーザがＰＯＩリストに基づいて選択したＰＯＩが付けられるグループ確立指令を受信し、グループ確立指令に付けられたＰＯＩに基づいてグループ確立要求を生成して、ロジックサーバに送信する。
【００６０】
さらに、インタラクションモジュール５０４は、具体的に、グループ内のインタラクション指令を取得し、グループ内のインタラクション指令に従ってグループ内のインタラクション要求をロジックサーバに送信して、ロジックサーバがグループ内のインタラクション要求に従って返信した応答を受信することで、グループ内のインタラクションサービスをユーザに提供する。
【００６１】
グループ内のインタラクションには、少なくとも、グループ内のほかのユーザの位置を検索すること、ほかのユーザに対してグループへの加入を誘うこと、ほかのユーザからのグループへの加入の要求を受信して当該ユーザのグループへの加入を許可すること、グループ内の会話を始めること、および、グループ内のユーザが共同にＰＯＩへの到着の届け出を完成させることを許可することのうちの１つが、含まれる。
【００６２】
上記の要求モジュール５０３はグループ確立指令を取得してグループ確立要求をロジックサーバに送信する方式について、上記の実施例２におけるステップ４０３の関連説明を詳しく参照できるためここで説明を省略する。インタラクションモジュール５０４はロジックサーバとのインタラクションを行う方式について、上記のの実施例２におけるステップ４０５の関連説明を詳しく参照できるため、ここで説明を省略する。
【００６３】
本実施例で提供されるユーザ端末は、ユーザの現在位置の地理座標に対応するＰＯＩを取得して、ユーザが選択したＰＯＩに基づいてグループを確立するよう要求することによって、グループを自動的に確立する目的を達成し、また、確立されたグループに基づきグループ内のインタラクションサービスをユーザに提供し、ユーザがグループを通じてほかのユーザとのインタラクションを行うことができ、地理位置に基づくサービスの応用方式および範囲を広げ、ユーザに対してより便利なインタラクション操作を提供する。
【実施例４】
【００６４】
本実施例では、位置サーバが提供される。図６からわかるように、当該位置サーバは、具体的に、
ユーザ端末から送信されたユーザの現在位置の地理座標を受信するための受信モジュール６０１と、
受信モジュール６０１で受信された地理座標に対応する実際の地点情報ＰＯＩを検索するための検索モジュール６０２と、
検索モジュール６０２で検索して得られたＰＯＩリストをユーザ端末に返信し、ユーザ端末によりＰＯＩリストに基づいてユーザのためにグループが確立されて、グループ内におけるインタラクションサービスをユーザへ提供するための返信モジュール６０３と、を含み、
ＰＯＩリストには、検索して得られた少なくとも１つのＰＯＩが含まれる。受信モジュール６０１は地理座標を受信する方式、および、ユーザ端末は当該地理座標を取得する方式について、上記の実施例２におけるステップ４０１の関連説明を詳しく参照できるため、ここで説明を省略する。
【００６５】
さらに、図７からわかるように、当該位置サーバは、  
地理座標とＰＯＩとの対応関係を記憶する位置データベースを予め確立する確立モジュール６０４と、
具体的に、受信モジュール６０１で受信された地理座標に基づいて、確立モジュール６０４で確立された位置データベースから地理座標に対応するＰＯＩを検索するための検索モジュール６０２と、を含む。
【００６６】
本実施例で提供される位置サーバは、地理座標に対応するＰＯＩを予め記憶し、ユーザ端末から送信された地理座標を受信した後、検索して得られたＰＯＩリストをユーザ端末に返信することによって、ユーザ端末がＰＯＩリストに基づいてユーザのためにグループを確立して、グループ内におけるインタラクションサービスをユーザに提供し、さらに、ユーザがグループを通じてほかのユーザとのインタラクションを行うことができ、地理位置に基づくサービスの応用方式および範囲を広げ、ユーザに対してより便利なインタラクション操作を提供する。
【実施例５】
【００６７】
本実施例では、ロジックサーバが提供される。図８からわかるように、当該ロジックサーバは、具体的に、
ユーザ端末から送信された、実際の地点情報ＰＯＩが付けられた、グループ確立要求を受信するための受信モジュール８０１と、
受信モジュール８０１で受信された要求に付けられたＰＯＩに基づいて、グループを確立するための確立モジュール８０２と、
確立モジュール８０２で確立されたグループに基づき、ユーザ端末とのインタラクションを行うことで、グループ内のインタラクションサービスをユーザに提供するためのインタラクションモジュール８０３と、を含み、
ＰＯＩは、ユーザ現在位置の地理座標に対応する。
【００６８】
受信モジュール８０１はユーザ端末から送信されたグループ確立指令を受信する方式について、上記の実施例２におけるステップ４０３の関連説明を詳しく参照できるため、ここで説明を省略する。確立モジュール８０２はＰＯＩに基づいてグループを確立する方式について、上記の実施例２におけるステップ４０４の関連説明を詳しく参照できるため、ここで説明を省略する。
【００６９】
さらに、上記の実施例２におけるステップ４０５の関連説明からわかるように、インタラクションモジュール８０３は、具体的に、ユーザ端末から送信されたグループ内のインタラクション要求を受信して、グループ内のインタラクション要求に従って応答をユーザ端末に返信することで、グループ内におけるインタラクションサービスをユーザに提供する。
【００７０】
グループ内のインタラクションサービスには、少なくとも、グループ内のほかのユーザの位置を検索すること、周りのほかのユーザに対してグループへの加入を誘うこと、ほかのユーザからのグループへの加入の要求を受信して当該ユーザのグループへの加入を許可すること、グループ内の会話を始めること、および、グループ内のユーザが共同にＰＯＩへの到着の届け出を完成させることを許可することのうちの１つ、が含まれる。
【００７１】
本実施例で提供されるロジックサーバは、ユーザ端末から送信されたグループ確立要求に付けられたＰＯＩに基づいて、ユーザのためにグループを確立してグループ内のインタラクションサービスを提供することによって、ユーザがグループを通じてほかのユーザとのインタラクションを行うことができ、地理位置に基づくサービスの応用方式および範囲を広げる目的を達成して、より便利なインタラクション操作をユーザに提供する。
【実施例６】
【００７２】
本実施例で地理位置に基づくインタラクションシステムが提供される。図９からわかるように、当該システムには、上記の実施例３で提供されるユーザ端末９０１、上記の実施例４で提供される位置サーバ９０２、および上記の実施例５で提供されるロジックサーバ９０３のうちの１つまたは複数の機器が含まれてよい。
【００７３】
本実施例で提供されるシステムは、ユーザ端末がユーザの現在位置の地理座標に対応するＰＯＩを位置サーバで検索して、ＰＯＩが付けられたグループ確立要求をロジックサーバに送信することによって、ロジックサーバによりユーザが選択したＰＯＩに基づいてグループが確立されて、確立されたグループに基づきグループ内のインタラクションサービスをユーザに提供し、ユーザがグループを通じてほかのユーザとのインタラクションを行うことができ、地理位置に基づくサービスの応用方式および範囲を広げる目的を達成して、ユーザに対してより便利なインタラクション操作を提供する。
【００７４】
上記の実施例で提供されるユーザ端末、位置サーバおよびロジックサーバについては、地理位置に基づきインタラクションサービスを提供する場合、上記の各機能モジュールに分けて例を挙げて説明する。実際の応用において、必要に応じて、上記の機能を割り当てて異なる機能モジュールによって実現することができ、即ち、上記に説明した全部または一部の機能を実現するように、機器の内部構成を異なる機能モジュールに分ける。また、上記の実施例で提供されるユーザ端末、位置サーバおよびロジックサーバは、地理位置に基づくインタラクション方法の実施例と同じ構想に属し、それらの具体的な実現のプロセスについて、方法の実施例を詳しく参照できるため、ここで説明を省略する。
【００７５】
本発明の実施例に係る集積されたモジュールは、ソフトウェア機能のモジュールで実現されて独立の製品として販売または使用される場合、コンピュータ読み取り可能な記憶媒体に記憶されてもよい。上記の理解に基づき、本発明の実施例の解決手段の本質的部分、あるいは先行技術に対する貢献をもたらす部分は、ソフトウェア製品の形式で反映することができる。このコンピュータソフトウェア製品は、記憶媒体に記憶され、コンピュータ機器（パソコン、サーバまたはネットワーク機器などであってよい）に本発明の各実施例に係る方法の全部または一部を実行させるための若干の指令を含む。前記の記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスまたは光ディスクなど、プログラムコードを記憶することができるさまざまな媒体を含む。こうすれば、本発明の実施例は、いかなる特定のハードウェアとソフトウェアとの組み合わせに限定されない。
【００７６】
本発明の実施例では本発明の実施例における地理位置に基づくインタラクション方法を実行するためのコンピュータプログラムを記憶するコンピュータ記憶媒体が提供される。
【００７７】
上記の記載事項は、本発明の好ましい実施例にすぎず、本発明の保護範囲を限定するものではない。
【図１】
2015506001.tif 000003
【図２】
2015506001.tif 000004
【図３】
2015506001.tif 000005
【図４】
2015506001.tif 000006
【図５】
2015506001.tif 000007
【図６】
2015506001.tif 000008
【図７】
2015506001.tif 000009
【図８】
2015506001.tif 000010
【図９】
2015506001.tif 000011
【国際調査報告】
2015506001.tif 000012
2015506001.tif 000013
2015506001.tif 000014
2015506001.tif 000015